(57)【特許請求の範囲】
【請求項１】
ホスト機器からの複数の投票方法に関するオッズデータから、異なる投票方法の投票内容間で当選確率に対してオッズが逆転する逆転現象に関する逆転オッズ情報を抽出する抽出部と、
前記ホスト機器からの前記オッズデータと前記抽出部により抽出された前記逆転オッズ情報とを記憶するデータ部と、を含み、
複数の表示装置にオッズ画面を配信するオッズ画面配信装置に前記抽出部で抽出した前記逆転オッズ情報を出力する
ことを特徴とするオッズ情報抽出装置。
【請求項２】
請求項１に記載のオッズ情報抽出装置において、
前記データ部は、前記逆転現象が生じる異なる投票方法の投票内容の組み合わせに関するデータである組み合わせデータを予め記憶している
ことを特徴とするオッズ情報抽出装置。
【請求項３】
複数の表示装置にオッズ画面を配信するオッズ画面配信装置にデータを出力するオッズ情報抽出装置であって、
ホスト機器からの複数の投票方法に関するオッズデータから、異なる投票方法の投票内容間で当選確率に対してオッズが逆転する逆転現象に関する逆転オッズ情報を抽出する抽出部と、
前記ホスト機器からの前記オッズデータと前記抽出部により抽出された前記逆転オッズ情報とを記憶するデータ部と、を含み、
前記データ部は、前記逆転現象が生じる異なる投票方法の投票内容の組み合わせに関するデータである組み合わせデータを予め記憶し、
前記抽出部は、
前記データ部に記憶されている前記組み合わせデータを参照して、前記オッズデータから比較すべきオッズデータの組み合わせを特定し、
前記特定されたオッズデータの組み合わせを比較して、前記逆転オッズ情報を抽出する
ことを特徴とするオッズ情報抽出装置。
【請求項４】
請求項１乃至３のいずれか１項に記載のオッズ情報抽出装置と、
前記オッズ情報抽出装置から出力された前記オッズデータと前記逆転オッズ情報とに基づいて前記オッズ画面を生成し、生成した前記オッズ画面を前記複数の表示装置に配信するオッズ画面配信装置と、を含む
ことを特徴とするオッズ画面配信システム。
【請求項５】
請求項４に記載のオッズ画面配信システムにおいて、
前記オッズ画面配信装置により生成されて配信される前記オッズ画面は、前記逆転オッズ情報を表示するお得情報お知らせ画面を含む
ことを特徴とするオッズ画面配信システム。
【請求項６】
複数の表示装置にオッズ画面を配信するオッズ画面配信装置にデータを出力するオッズ情報抽出装置であって、ホスト機器からの複数の投票方法に関するオッズデータから、異なる投票方法の投票内容間で当選確率に対してオッズが逆転する逆転現象に関する逆転オッズ情報を抽出する抽出部と、前記ホスト機器からの前記オッズデータと前記抽出部により抽出された前記逆転オッズ情報とを記憶するデータ部と、を含むオッズ情報抽出装置と、
前記オッズ情報抽出装置から出力された前記オッズデータと前記逆転オッズ情報とに基づいて前記オッズ画面を生成し、生成した前記オッズ画面を前記複数の表示装置に配信するオッズ画面配信装置と、を含み、
前記オッズ画面配信装置により生成されて配信される前記オッズ画面は、前記逆転オッズ情報を表示するお得情報お知らせ画面を含み、
前記お得情報お知らせ画面は、当選確率に対してオッズが逆転している異なる投票方法の投票内容の組み合わせと前記組み合わせ間のオッズの倍率差とを表示する画面である
ことを特徴とするオッズ画面配信システム。
【請求項７】
複数の表示装置にオッズ画面を配信するオッズ画面配信装置にデータを出力するオッズ情報抽出装置であって、ホスト機器からの複数の投票方法に関するオッズデータから、異なる投票方法の投票内容間で当選確率に対してオッズが逆転する逆転現象に関する逆転オッズ情報を抽出する抽出部と、前記ホスト機器からの前記オッズデータと前記抽出部により抽出された前記逆転オッズ情報とを記憶するデータ部と、を含むオッズ情報抽出装置と、
前記オッズ情報抽出装置から出力された前記オッズデータと前記逆転オッズ情報とに基づいて前記オッズ画面を生成し、生成した前記オッズ画面を前記複数の表示装置に配信するオッズ画面配信装置と、を含み、
前記オッズ画面配信装置により生成されて配信される前記オッズ画面は、前記複数の投票方法の各々に対応するオッズ画面を含み、
前記投票方法に対応するオッズ画面は、前記投票方法による投票内容のオッズの一覧と前記逆転オッズ情報とを表示する画面である
ことを特徴とするオッズ画面配信システム。  
【発明の詳細な説明】
【技術分野】
【０００１】
本発明は、競馬、競艇、競輪、オートなどのレースのオッズ情報を処理するオッズ情報抽出装置、及び、それを備えたオッズ画面配信システムに関する。
【背景技術】
【０００２】
競馬、競艇、競輪、オートなどのレースでは、多様な投票方法が存在している。例えば、競馬であれば、単勝、馬連（馬番２連複）、枠連（枠番２連複）に加えて、複勝、ワイド、馬単（馬番２連単）、枠単（枠番２連単）、３連複（馬番３連複）、３連単（馬番３連単）、ＷＩＮ５（馬番５重勝）などの投票方法が用意されている。
【０００３】
競馬場や場外馬券場など投票券を販売する投票端末装置が設置されている場所には、一般に、レースのオッズ情報を表示する表示装置が複数配置されているが、上述したように多様な投票方法が存在しているため、これらの表示装置には、各投票方法でのオッズ情報が画面上に順番に表示されるのが通常である。この表示装置に順番に表示されるオッズ画面は、投票端末装置で投票券を購入する前に投票券の購入希望者により確認されて、投票券購入の参考とされる。
【０００４】
ところで、オッズ情報の中には、異なる投票方法間で比較した場合に、明らかに当選確率に対してオッズが逆転しているものが存在することがある。
例えば、１８頭立てのレースの場合であれば、枠連「７−８」への投票は、９通りの１着２着の組み合わせ（馬連「１３−１６」、「１３−１７」、「１３−１８」、「１４−１６」、「１４−１７」、「１４−１８」、「１５−１６」、「１５−１７」、「１５−１８」）に投票したのと同様である。このため、これらの９通りの組み合わせのそれぞれに対応する馬連のオッズに比べて、この枠連のオッズは低いのが通常である。しかしながら、これが逆転することがある。つまり、同じ対象への投票を含みながら、組み合わせの多い投票方法（例えば、枠連）の方が、より少ない組み合わせの投票方法（例えば、馬連）に比べて、オッズが高い場合があり、その結果、少ないリスクで多くのリターンを得られる可能性がある。
【０００５】
このようなオッズの逆転現象に関する情報（以降、逆転オッズ情報と記す。）は、投票券の購入希望者にとって非常に有益で魅力的な情報である。逆転オッズ情報を投票券の購入希望者に通知する技術は、例えば、特許文献１、特許文献２で開示されている。
【先行技術文献】
【特許文献】
【０００６】
【特許文献１】特開２００１−０５２０９７号公報
【特許文献２】特開２００１−０５２２２５号公報
【発明の概要】
【発明が解決しようとする課題】
【０００７】
特許文献１または特許文献２に開示される技術は、逆転オッズ情報を投票端末装置の画面に表示する技術である。特許文献１または特許文献２に開示される技術では、投票券の購入希望者が投票端末装置を使用して実際に購入を希望した投票内容毎に、オッズの逆転現象が生じていないか否かの確認が行われる。つまり、実際にオッズの逆転現象が生じている投票内容について投票券を購入しようとした場合にのみ、逆転オッズ情報が投票端末装置の画面に表示される。
【０００８】
このため、投票端末装置とは別に設置されている表示装置に表示されるオッズ画面を参照しながら投票内容について検討する際には、投票券の購入希望者は、逆転オッズ情報を得ることはできない。従って、逆転オッズ情報は、非常に有益で魅力的な情報であるにも関わらず、投票券の購入希望者が積極的に利用することは非常に困難である。
【０００９】
以上のような実情を踏まえて、本発明では、逆転オッズ情報を抽出するオッズ情報抽出装置、及び、それを備えたオッズ画面配信システムを提供することを目的とする。
【課題を解決するための手段】
【００１０】
本発明の一態様は、ホスト機器からの複数の投票方法に関するオッズデータから、異なる投票方法の投票内容間で当選確率に対してオッズが逆転する逆転現象に関する逆転オッズ情報を抽出する抽出部と、前記ホスト機器からの前記オッズデータと前記抽出部により抽出された前記逆転オッズ情報とを記憶するデータ部と、を含み、複数の表示装置にオッズ画面を配信するオッズ画面配信装置に前記抽出部で抽出した前記逆転オッズ情報を出力するオッズ情報抽出装置を提供する。
本発明の別の態様は、複数の表示装置にオッズ画面を配信するオッズ画面配信装置にデータを出力するオッズ情報抽出装置であって、ホスト機器からの複数の投票方法に関するオッズデータから、異なる投票方法の投票内容間で当選確率に対してオッズが逆転する逆転現象に関する逆転オッズ情報を抽出する抽出部と、前記ホスト機器からの前記オッズデータと前記抽出部により抽出された前記逆転オッズ情報とを記憶するデータ部と、を含み、前記データ部は、前記逆転現象が生じる異なる投票方法の投票内容の組み合わせに関するデータである組み合わせデータを予め記憶し、前記抽出部は、前記データ部に記憶されている前記組み合わせデータを参照して、前記オッズデータから比較すべきオッズデータの組み合わせを特定し、前記特定されたオッズデータの組み合わせを比較して、前記逆転オッズ情報を抽出するオッズ情報抽出装置を提供する。
本発明の更に別の態様は、複数の表示装置にオッズ画面を配信するオッズ画面配信装置にデータを出力するオッズ情報抽出装置であって、ホスト機器からの複数の投票方法に関するオッズデータから、異なる投票方法の投票内容間で当選確率に対してオッズが逆転する逆転現象に関する逆転オッズ情報を抽出する抽出部と、前記ホスト機器からの前記オッズデータと前記抽出部により抽出された前記逆転オッズ情報とを記憶するデータ部と、を含むオッズ情報抽出装置と、前記オッズ情報抽出装置から出力された前記オッズデータと前記逆転オッズ情報とに基づいて前記オッズ画面を生成し、生成した前記オッズ画面を前記複数の表示装置に配信するオッズ画面配信装置と、を含み、前記オッズ画面配信装置により生成されて配信される前記オッズ画面は、前記逆転オッズ情報を表示するお得情報お知らせ画面を含み、前記お得情報お知らせ画面は、当選確率に対してオッズが逆転している異なる投票方法の投票内容の組み合わせと前記組み合わせ間のオッズの倍率差とを表示する画面であるオッズ画面配信システムを提供する。
本発明の更に別の態様は、複数の表示装置にオッズ画面を配信するオッズ画面配信装置にデータを出力するオッズ情報抽出装置であって、ホスト機器からの複数の投票方法に関するオッズデータから、異なる投票方法の投票内容間で当選確率に対してオッズが逆転する逆転現象に関する逆転オッズ情報を抽出する抽出部と、前記ホスト機器からの前記オッズデータと前記抽出部により抽出された前記逆転オッズ情報とを記憶するデータ部と、を含むオッズ情報抽出装置と、前記オッズ情報抽出装置から出力された前記オッズデータと前記逆転オッズ情報とに基づいて前記オッズ画面を生成し、生成した前記オッズ画面を前記複数の表示装置に配信するオッズ画面配信装置と、を含み、前記オッズ画面配信装置により生成されて配信される前記オッズ画面は、前記複数の投票方法の各々に対応するオッズ画面を含み、前記投票方法に対応するオッズ画面は、前記投票方法による投票内容のオッズの一覧と前記逆転オッズ情報とを表示する画面であるオッズ画面配信システムを提供する。
【発明の効果】
【００１１】
本発明によれば、逆転オッズ情報を抽出するオッズ情報抽出装置、及び、それを備えたオッズ画面配信システムを提供することができる。
【図面の簡単な説明】
【００１２】
【図１】従来技術に係るオッズ画面表示システムの構成を例示した図である。
【図２】本発明の一実施形態に係るオッズ画面表示システムの構成を例示した図である。
【図３】オッズの逆転現象が生じる投票方法の組み合わせをマトリクス形式で例示した図である。
【図４】オッズの逆転現象が生じる投票方法の組み合わせをリスト形式で例示した図である。
【図５】出走頭数毎の馬番と枠番との関係を示した図である。
【図６】図２に例示するオッズ情報抽出装置の処理フローを例示したフローチャートである。
【図７】図２に例示するテレビ制御装置の処理フローを例示したフローチャートである。
【図８】図２に例示するオッズ画面配信システムにより配信されるオッズ画面の一例を示す図である。
【図９】図２に例示するオッズ画面配信システムにより配信されるオッズ画面の他の一例を示す図である。
【図１０】図２に例示するオッズ画面配信システムにより配信されるオッズ画面のさらに他の一例を示す図である。
【図１１】図２に例示するオッズ画面配信システムにより配信されるオッズ画面のさらに他の一例を示す図である。
【図１２】図２に例示するホスト機器から受信するオッズデータの一例を示す図である。
【図１３】図１２に例示されるオッズ情報から図２に例示するオッズ画面配信システムにより抽出される逆転オッズ情報の一例を示す図である。
【発明を実施するための形態】
【００１３】
まず、本発明の実施形態に係るオッズ画面表示システムついて説明する前に、図１を参照しながら、従来技術に係るオッズ画面表示システムについて説明する。図１は、従来技術に係るオッズ画面表示システムの構成を例示した図である。
【００１４】
図１に例示されるオッズ画面表示システム１００は、オッズデータを管理するホスト機器１０１と、オッズ画面を生成して配信するテレビ制御装置１０２と、オッズ画面を表示する複数の表示装置１０３を含んでいる。
【００１５】
ホスト機器１０１は、投票券の売り上げデータに基づいて投票内容（例えば、馬連１−２、枠連１−１など）毎のオッズを算出しそれらをオッズデータ（例えば、新潟６Ｒ、「馬連１−２、オッズ：３０．５倍」、「枠連１−１、オッズ：１０．４倍」など）として管理する装置であり、自身が管理するオッズデータを定期的にテレビ制御装置１０２に送信する。テレビ制御装置１０２は、ホスト機器１０１から受信したオッズデータからオッズ画面を生成して、複数の表示装置１０３に配信する。
【００１６】
これにより、投票券の購入希望者は、複数の表示装置１０３に表示されるオッズ画面を確認することで、各投票内容のオッズを知ることができる。
なお、従来技術に係るオッズ画面表示システム１００のテレビ制御装置１０２で生成される画面としては、例えば、各投票方法（例えば、単勝）の投票内容毎（例えば、馬番１）のオッズを一覧で表示する画面（以降、オッズ一覧画面と記す。）、人気オッズを表示する画面、高配当オッズを表示する画面、及び、これらを組み合わせて表示する画面等がある。
【００１７】
次に、図２を参照しながら、本発明の実施形態に係るオッズ画面表示システムついて説明する。図２は、本発明の一実施形態に係るオッズ画面表示システムの構成を例示した図である。
【００１８】
図２に例示されるオッズ画面表示システム３００は、オッズデータを管理するホスト機器１０１と、オッズ画面を生成して配信するオッズ画面配信システム２００と、オッズ画面を表示する複数の表示装置１０３を含んでいる。つまり、図２に例示されるオッズ画面表示システム３００は、テレビ制御装置１０２の代わりに、オッズ画面配信システム２００を含む点が、図１に例示されるオッズ画面表示システム１００と異なっている。その他の点は、オッズ画面表示システム１００と同様である。このため、同様の構成要素については、同一の符号付して説明を省略する。
【００１９】
オッズ画面配信システム２００は、図２に例示されるように、オッズ情報抽出装置２１０と、複数の表示装置１０３にオッズ画面を配信するオッズ画面配信装置であるテレビ制御装置２２０とを含んでいる。オッズ情報抽出装置２１０とテレビ制御装置２２０は、必ずしも別の装置として構成されている必要なく、一体として構成されてもよい。例えば、オッズ情報抽出装置２１０がテレビ制御装置２２０の一機能としてテレビ制御装置２２０に組み込まれても良い。
【００２０】
オッズ情報抽出装置２１０は、ホスト機器１０１からの複数の投票方法に関するオッズデータから逆転オッズ情報を抽出する抽出部２１１と、ホスト機器１０１からのオッズデータと抽出部２１１により抽出された逆転オッズ情報とを記憶するデータ部２１２と、を含んでいる。また、データ部２１２には、図２に例示されるように、オッズデータと逆転オッズ情報に加えて、組み合わせデータも予め記憶されている。
【００２１】
なお、逆転オッズ情報とは、異なる投票方法の投票内容間で当選確率に対してオッズが逆転する逆転現象に関する情報である。また、組み合わせデータとは、逆転現象が生じる異なる投票方法の投票内容の組み合わせに関するデータである。
【００２２】
図３から図５を参照しながら、データ部２１２に予め記憶されている組み合わせデータについて、より詳細に説明する。図３及び図４は、オッズの逆転現象が生じる投票方法の組み合わせを例示した図である。図５は、出走頭数毎の馬番と枠番との関係を示した図である。
【００２３】
図３及び図４に例示される１０種類の投票方法について考慮した場合、オッズの逆転現象が生じる投票方法の組み合わせは、図３及び図４に示されるように、単勝−複勝、馬連−枠連、馬連−ワイド、枠単−枠連、馬単−枠単、馬単−枠連、馬単−馬連、３連単−３連複の８通り存在する。
【００２４】
データ部２１２に記憶されている組み合わせデータは、これら８通りの投票方法の組み合わせのそれぞれに対して複数存在する。より具体的には、比較元の投票方法の投票内容と同数存在する。
【００２５】
例えば、出走頭数が１０頭の場合であれば、単勝−複勝の投票方法の組み合わせデータは、(単勝:複勝) = (1:1),(2:2),(3:3),(4:4),(5:5),(6:6),(7:7),(8:8),(9:9),(10:10)の１０件である。従って、比較元の投票方法である単勝の投票内容の数と等しい数存在する。また、馬連−枠連の投票方法の組み合わせデータは、(馬連:枠連) = (1-2:1-2),(1-3:1-3),(1-4:1-4),(1-5:1-5),(1-6:1-6),(1-7:1-7),(1-8:1-7),(1-9:1-8),(1-10:1-8),(2-3:2-3),(2-4:2-4),(2-5:2-5),(2-6:2-6),(2-7:2-7),(2-8:2-7),(2-9:2-8),(2-10:2-8),…の４５件である。従って、比較元の投票方法である馬連の投票内容の数と等しい数存在する。
【００２６】
このように、組み合わせデータは投票方法の組み合わせ毎に複数存在するが、その内容については、出走頭数により予め決まっている。このため、出走頭数毎に必要な組み合わせデータを予め用意して、データ部２１２に記憶させることができる。
【００２７】
オッズ画面配信システム２００では、オッズ情報抽出装置２１０がホスト機器１０１からオッズデータを受信すると、抽出部２１１は、データ部２１２に記憶された組み合わせデータを参照して、オッズデータから逆転オッズ情報を抽出する。そして、データ部２１２は、抽出された逆転オッズ情報を記憶する。逆転オッズ情報は、レース会場、レース番号、対応するオッズデータの組み合わせ、それらの倍率差などからなる情報であり、例えば、新潟６Ｒ、「馬連３−４、オッズ：２８．９」に対して「枠連３−４、オッズ：３２．４」、倍率差３．５、といった内容である。
【００２８】
その後、オッズ情報抽出装置２１０は、テレビ制御装置２２０にデータ部２１２に記憶されているオッズデータと逆転オッズ情報とを出力する。テレビ制御装置２２０は、オッズ情報抽出装置２１０から出力されたオッズデータと逆転オッズ情報とを受信すると、これらに基づいてオッズ画面を生成し、生成したオッズ画面を複数の表示装置１０３に配信する。
【００２９】
これにより、投票券の購入希望者は、オッズ画面表示システム３００でも、従来技術に係るオッズ画面表示システム１００の場合と同様に、複数の表示装置１０３に表示されるオッズ画面を確認することで、各投票内容のオッズを知ることができる。
【００３０】
なお、オッズ画面配信システム２００で生成され配信される画面としては、従来のオッズ画面に加えて、従来のオッズ画面中に逆転オッズ情報を表示した画面や、主として逆転オッズ情報を表示する画面（以降、お得情報お知らせ画面と記す。）などがある。
【００３１】
このため、本実施形態に係るオッズ画面表示システム３００によれば、投票券の購入希望者は、複数の表示装置１０３に表示されるオッズ画面を確認することで、投票券を購入するために投票端末装置を使用する前に、逆転オッズ情報を知ることができる。このため、投票券の購入希望者は、逆転オッズ情報を利用して小さなリスクで大きなリターンが期待できる投票を行うことができる。また、本実施形態に係るオッズ画面表示システム３００によれば、逆転オッズ情報により投票券の購入希望者の購買意欲が活性化されるため、投票券の販売業者は、投票券の販売を促進することができる。
【００３２】
次に、図６及び図７を参照しながら、本実施形態に係るオッズ画面配信システム２００に含まれるオッズ情報抽出装置２１０とテレビ制御装置２２０の処理について詳細に説明する。図６は、図２に例示するオッズ情報抽出装置２１０の処理フローを例示したフローチャートである。図７は、図２に例示するテレビ制御装置２２０の処理フローを例示したフローチャートである。
【００３３】
まず、図６に例示されるオッズ情報抽出装置２１０の処理フローについて説明する。尚、本例は、枠連と馬連との間で生じる逆転オッズ情報のみを抽出する場合の一例として説明するため、他の単勝、複勝、ワイド、馬単、３連複、３連単等は省略する。
【００３４】
オッズ情報抽出装置２１０の処理は、ホスト機器１０１からオッズデータを受信することにより開始される。図１２に例示される新潟６Ｒのオッズデータを受信した場合を例に説明する。
【００３５】
ステップＳ１では、データ部２１２が、ホスト機器１０１から受信したオッズデータを記憶する。図１２に例示される新潟６Ｒの単勝・複勝オッズデータ、枠連オッズデータ、および馬連オッズデータが、データ部２１２に記憶される。
【００３６】
ステップＳ２では、抽出部２１１が、予めデータ部２１２に記憶されている組み合わせデータを一件分読み出す。より詳細には、抽出部２１１は、ホスト機器１０１からのオッズデータが何馬出しのレースのオッズデータであるかを判断して、その出走頭数に対応する組み合わせデータを一件分読み出す。例えば、予めデータ部に記憶された１０頭立ての組み合わせデータから一件分のデータ(馬連:枠連) = (6-9:6-8)を読み出す。
【００３７】
ステップＳ３では、抽出部２１１は、ステップＳ２で読み出した組み合わせデータ（(馬連:枠連) = (6-9:6-8)）を参照して、データ部２１２に記憶されているオッズデータから比較すべきオッズデータの組み合わせ、即ち、比較元オッズデータ（例えば、図１２の馬連6-9のオッズデータの5.6倍）と比較先オッズデータ（例えば、図１２の枠連6-8のオッズデータの6.1倍）を特定して読み出す。
【００３８】
ステップＳ４では、抽出部２１１は、ステップＳ３で特定され読み出されたオッズデータの組み合わせを比較する。
比較した結果、比較先オッズデータのオッズが比較元オッズデータのオッズよりも高い場合には、ステップＳ５で、抽出部２１１が比較したオッズデータを逆転オッズ情報として抽出し、データ部２１２がその逆転オッズ情報を記憶する。上述した馬連6-9と枠連6-8を比較した場合であれば、データ部２１２には、逆転オッズ情報として、新潟６Ｒ、「馬連３−４、オッズ：２８．９」に対して「枠連３−４、オッズ：３２．４」、倍率差３．５が記憶される。
【００３９】
一方、比較結果、比較先オッズデータのオッズが比較元オッズデータのオッズ以下である場合には、ステップＳ５の処理はスキップされる。
ステップＳ６では、抽出部２１１は、データ部２１２から該当する出走頭数に関するすべての組み合わせデータを読み出したか否かを判断する。
【００４０】
抽出部２１１がすべての組み合わせデータを読み出していないと判断した場合には、オッズ情報抽出装置２１０の制御はステップＳ２に戻り、抽出部２１１が次の一件分の組み合わせデータを読み出す。以降、すべての組み合わせデータが読み出されるまで、オッズ情報抽出装置２１０は、上述したステップＳ２からステップＳ６の処理が繰り返す。
【００４１】
これに対して、抽出部２１１がすべての組み合わせデータを読み出し済みであると判断した場合には、オッズ情報抽出装置２１０の制御は、ステップＳ７に遷移する。
なお、図１２に例示されるオッズデータを受信した場合であれば、すべての比較が完了した状態では、図１３に例示される２つの逆転オッズ情報がデータ部２１２に記憶される。逆転オッズ情報データ１として、新潟６Ｒ、「馬連３−４、オッズ：２８．９」に対して「枠連３−４、オッズ：３２．４」、倍率差３．５。逆転オッズ情報データ２として、新潟６Ｒ、「馬連６−９、オッズ：５．６」に対して「枠連６−８、オッズ：６．１」、倍率差０．５。
【００４２】
ステップＳ７では、抽出部２１１は、データ部２１２に逆転オッズ情報が記憶されているか否かを判断する。
抽出部２１１がデータ部２１２に逆転オッズ情報が記憶されていないと判断した場合には、オッズ情報抽出装置２１０の制御は、ステップＳ８に遷移する。ステップＳ８では、抽出部２１１が、データ部２１２からオッズデータを読み出してテレビ制御装置２２０に送信し、その後、オッズ情報抽出装置２１０の処理が終了する。
【００４３】
抽出部２１１がデータ部２１２に逆転オッズ情報が記憶されていると判断した場合には、ステップＳ９では、抽出部２１１はデータ部２１２に複数の逆転オッズ情報が記憶されているか否かを判断する。
【００４４】
抽出部２１１がデータ部２１２に複数の逆転オッズ情報は記憶されていないと判断した場合には、オッズ情報抽出装置２１０の制御は、ステップＳ１０に遷移する。ステップＳ１０では、抽出部２１１が、データ部２１２からオッズデータと逆転オッズ情報を読み出してテレビ制御装置２２０に送信し、その後、オッズ情報抽出装置２１０の処理が終了する。
【００４５】
抽出部２１１がデータ部２１２に複数の逆転オッズ情報が記憶されていると判断した場合には、ステップＳ１１で、抽出部２１１は、複数の逆転オッズ情報からランキング情報を生成する。具体的には、抽出部２１１は、データ部２１２から複数の逆転オッズ情報を読み出して、逆転オッズ情報に含まれる比較元と比較先のオッズの倍率差（比較先のオッズ―比較元のオッズ）を比較する。そして、そのオッズの倍率差の大きいものから順位付けした逆転オッズ情報をランキング情報として、データ部２１２に記憶させる。
【００４６】
ステップＳ１２では、抽出部２１１は、データ部２１２から逆転オッズ情報（ランキング情報を含む）とオッズデータとを読み出して、テレビ制御装置２２０に送信し、その後、オッズ情報抽出装置２１０の処理が終了する。
【００４７】
以上のように、本実施形態に係るオッズ情報抽出装置２１０によれば、予めデータ部２１２に記憶された組み合わせデータを用いることにより、オッズデータから逆転オッズ情報を抽出することができる。このため、複数の表示装置にオッズ画面を配信するオッズ画面配信装置にオッズデータとともに逆転オッズ情報を出力することにより、投票券の購入希望者による逆転オッズ情報の積極的な利用を促すことができる。
【００４８】
なお、図６では、説明を簡略化するために、図１２に例示されるようなホスト機器１０１から１レース分のオッズデータを受信する場合を例に説明したが、ホスト機器１０１からのオッズデータの送信受信単位はレース単位に限られない。複数レース分のオッズデータが含まれてもよく、また、その複数のレース分のオッズデータは異なる会場で行われるレースのオッズデータを含んでもよい。その場合、各レースのオッズデータ毎に、そのレースの出走頭数に対応するすべての組み合わせデータを参照して逆転オッズ情報を抽出する。
【００４９】
次に、図７に例示されるテレビ制御装置２２０の処理フローについて説明する。テレビ制御装置２２０の処理は、オッズ情報抽出装置２１０からデータを受信することにより開始される。
【００５０】
ステップＳ１３では、テレビ制御装置２２０は、オッズ情報抽出装置２１０からのデータを受信する。受信するデータには、図６に示されるように、逆転オッズ情報が含まれる場合と含まれない場合がある。このため、ステップＳ１４では、テレビ制御装置２２０は、受信したデータ中に逆転オッズ情報が含まれているか否かを判断する。
【００５１】
受信したデータに逆転オッズ情報が含まれていると判断した場合、ステップＳ１５において、テレビ制御装置２２０は、オッズデータと逆転オッズ情報に基づいてオッズ画面を生成する。
【００５２】
一方、受信したデータに逆転オッズ情報が含まれていないと判断した場合、ステップＳ１６において、テレビ制御装置２２０は、オッズデータに基づいてオッズ画面を生成する。
【００５３】
なお、ステップＳ１５及びステップＳ１６で生成されるオッズ画面は、少なくとも、複数の投票方法の各々に対応するオッズ画面を含んでいる。
ステップＳ１７では、テレビ制御装置２２０は、ステップＳ１５またはステップＳ１６で生成されたオッズ画面を表示装置１０３に配信し、その後、テレビ制御装置２２０の処理が終了する。
【００５４】
図８、図９、図１０及び図１１は、オッズ画面配信システム２００により配信されるオッズ画面の例示した図であり、図７のステップＳ１５において逆転オッズ情報を用いて生成されたオッズ画面の具体例を示している。
【００５５】
図８は、逆転オッズ情報を表示するお得情報お知らせ画面を例示している。通常のオッズ一覧画面とは別の画面で逆転オッズ情報を表示することにより、投票方法の組み合わせの異なる逆転オッズ情報、例えば、図８に例示されるように、馬連−枠連、３連単−３連複の逆転オッズ情報を同一画面に表示することができる。また、逆転オッズ情報が比較的多数ある場合であってもすべての逆転オッズ情報を一覧で表示することができる。このため、投票券の購入希望者は、すべての逆転オッズ情報を一目で確認することが可能となる。また、逆転オッズ情報が専用画面で提供されることで投票券の購入希望者の注目が集まりやすくなる。このため、逆転オッズ情報の利用がより効果的に促されることが期待できる。
【００５６】
図９は、逆転オッズ情報を表示するお得情報お知らせ画面の他の例を示している。図９に例示されるお得情報お知らせ画面は、当選確率に対してオッズが逆転している異なる投票方法の投票内容の組み合わせに加えて、その組み合わせ間のオッズの倍率差を表示する画面である。逆転オッズ情報が、比較元のオッズと比較先のオッズの倍率差により順位付けされたランキング情報として提供されている点が、図８に例示されるお得情報お知らせ画面と異なっている。図９に例示されるお得情報お知らせ画面によっても、図８に例示されるお得情報お知らせ画面と同様の効果を得ることができる。また、図８に例示されるお得情報お知らせ画面と比べると、ランキング情報として提供することで、逆転情報のオッズの倍率差の高い投票内容を容易に確認することが可能となり、投票券の購入希望者の購買意欲をさらに刺激することができる。
【００５７】
図１０は、オッズ一覧画面中にオッズ逆転情報を表示した画面を例示している。図１０に例示されるように、オッズの逆転現象が生じている投票内容にお得情報マーク（図１０では星印）を付すことにより、オッズ一覧画面中で逆転オッズ情報を容易に確認することができる。また、一覧画面の下方にテロップ表示領域を設けて、各逆転オッズ情報の詳細（例えば、オッズの倍率差など）を順番にまたは一覧で表示することで、限られたスペースで詳細な逆転オッズ情報を提供することができる。
【００５８】
図１１は、オッズ一覧画面中にオッズ逆転情報を表示した画面の他の例を示している。図１０に例示される画面が比較先（つまり、本来的にオッズが低い方）の投票方法のオッズ一覧画面にオッズ逆転情報を表示した画面であるのに対して、図１１に例示される画面は、比較元（つまり、本来的にオッズが高い方）の投票方法のオッズ一覧画面にオッズ逆転情報を表示した画面であるという点で、図１０に例示される画面とは異なっている。従って、図１１に例示される画面でもオッズの逆転現象が生じている投票内容にマーク（図１１では▼）を付しているが、このマークはお得でない投票内容を示している。図１１に例示される画面によっても、図１０に例示される画面と同様の効果が得られる。さらに、投票券の購入希望者は、相対的によりお得な投票の存在を知ることができるため、相対的に損な投票を回避することができる。
【００５９】
以上のように、本実施形態に係るオッズ情報抽出装置２１０とテレビ制御装置２２０を含むオッズ画面配信システム２００によれば、ホスト機器１０１からのオッズデータに逆転オッズ情報が含まれている場合には、その逆転オッズ情報を利用して生成されたオッズ画面を配信することができる。これにより、投票券の購入希望者は、複数の表示装置１０３に表示されるオッズ画面を確認することで、投票券を購入するために投票端末装置を使用する前に逆転オッズ情報を知ることができる。このため、投票券の購入希望者は、逆転オッズ情報を利用して小さなリスクで大きなリターンが期待できる投票を行うことができる。また、本実施形態に係るオッズ画面配信システム２００によれば、逆転オッズ情報により投票券の購入希望者の購買意欲が活性化されるため、投票券の販売業者は、投票券の販売を促進することができる。また、オッズ画面配信システム２００では、ホスト機器１０１からのオッズデータの受信をトリガーとしてオッズ画面の生成及び配信処理が実行される。このため、オッズ画面配信システム２００は、ホスト機器１０１からのオッズデータの受信がある毎に、投票券の購入希望者に最新の逆転オッズ情報をリアルタイムで提供することができる。
【符号の説明】
【００６０】
１００、３００      オッズ画面表示システム
１０１      ホスト機器
１０２、２２０      テレビ制御装置
１０３      表示装置
２００      オッズ画面配信システム
２１０      オッズ情報抽出装置
２１１      抽出部
２１２      データ部
【図１】
0005694091.tif 000002
【図２】
0005694091.tif 000003
【図３】
0005694091.tif 000004
【図４】
0005694091.tif 000005
【図５】
0005694091.tif 000006
【図６】
0005694091.tif 000007
【図７】
0005694091.tif 000008
【図１３】
0005694091.tif 000009
【図８】
0005694091.tif 000010
【図９】
0005694091.tif 000011
【図１０】
0005694091.tif 000012
【図１１】
0005694091.tif 000013
【図１２】
0005694091.tif 000014